(57)【特許請求の範囲】
【請求項１】
緊急地震速報に基づいて、設置されたアトラクションの動作を制御するテーマパークにおけるアトラクション制御システムであって、
緊急地震速報を受信し、受信した緊急地震速報に基づいて地震の主要動の予測到達時間と予測震度とを算出し、算出結果に基づいて各アトラクション制御装置へ制御信号を送信する緊急地震速報送受信機と、
前記緊急地震速報送受信機から制御信号を受信し、受信した制御信号に応じて、アトラクションの動作を制御するアトラクション制御装置とを有し、
前記アトラクション制御装置は、アトラクションごとに設けられ、
前記緊急地震速報送受信機は、アトラクション制御装置がアトラクションの動作を制御することの要否を、アトラクション制御装置ごとに判断して、制御が必要であると判断したアトラクション制御装置に対しては、アトラクションの動作の制御を行わせ、制御が不要であると判断したアトラクション制御装置に対しては、アトラクションの動作の制御を行わないように、各アトラクション制御装置を個別に制御し、
前記緊急地震速報送受信機は、算出した予測震度および予測到達時間と、震度閾値および到達時間閾値とをそれぞれ比較し、予測震度が震度閾値以上かつ予測到達時間が到達時間閾値以上であった場合は制御信号を出力し、
前記緊急地震速報送受信機によってアトラクションの動作を制御することが必要と判断されたアトラクション制御装置は、制御対象が、乗客の乗り込むアトラクションであり、前記制御信号を受信すると、アトラクションが走行状態であるか停止状態であるかを判断し、アトラクションが走行状態であれば、該アトラクションを乗客の避難しやすい位置または最寄りの緊急停車ゾーンまで走行させ、アトラクションが停止状態であれば、該アトラクションの走行を禁止することを特徴とするテーマパークにおけるアトラクション制御システム。
【請求項２】
緊急地震速報に基づいて、設置されたアトラクションの動作を制御するテーマパークにおけるアトラクション制御システムであって、
緊急地震速報を受信し、受信した緊急地震速報に基づいて地震の主要動の予測到達時間と予測震度とを算出し、算出結果に基づいて各アトラクション制御装置へ制御信号を送信する緊急地震速報送受信機と、
前記緊急地震速報送受信機から制御信号を受信し、受信した制御信号に応じて、アトラクションの動作を制御するアトラクション制御装置とを有し、
前記アトラクション制御装置は、アトラクションごとに設けられ、
前記緊急地震速報送受信機は、アトラクション制御装置がアトラクションの動作を制御することの要否を、アトラクション制御装置ごとに判断して、制御が必要であると判断したアトラクション制御装置に対しては、アトラクションの動作の制御を行わせ、制御が不要であると判断したアトラクション制御装置に対しては、アトラクションの動作の制御を行わないように、各アトラクション制御装置を個別に制御し、
前記緊急地震速報送受信機は、算出した予測震度および予測到達時間と、震度閾値および到達時間閾値とをそれぞれ比較し、予測震度が震度閾値以上かつ予測到達時間が到達時間閾値未満であった場合は制御信号を出力し、
前記緊急地震速報送受信機によってアトラクションの動作を制御することが必要と判断されたアトラクション制御装置は、制御対象が、乗客の乗り込むアトラクションであり、前記制御信号を受信すると、アトラクションが走行状態であるか停止状態であるかを判断し、アトラクションが走行状態であれば、該アトラクションを乗客の避難しやすい位置または最寄りの緊急停車ゾーンまで走行させ、アトラクションが停止状態であれば、該アトラクションの走行を禁止することを特徴とするテーマパークにおけるアトラクション制御システム。
【請求項３】
緊急地震速報に基づいて、設置されたアトラクションの動作を制御するテーマパークにおけるアトラクション制御システムであって、
緊急地震速報を受信し、受信した緊急地震速報に基づいて地震の主要動の予測到達時間と予測震度とを算出し、算出結果に基づいて各アトラクション制御装置へ制御信号を送信する緊急地震速報送受信機と、
前記緊急地震速報送受信機から制御信号を受信し、受信した制御信号に応じて、アトラクションの動作を制御するアトラクション制御装置とを有し、
前記アトラクション制御装置は、アトラクションごとに設けられ、
前記緊急地震速報送受信機は、アトラクション制御装置がアトラクションの動作を制御することの要否を、アトラクション制御装置ごとに判断して、制御が必要であると判断したアトラクション制御装置に対しては、アトラクションの動作の制御を行わせ、制御が不要であると判断したアトラクション制御装置に対しては、アトラクションの動作の制御を行わないように、各アトラクション制御装置を個別に制御し、
前記緊急地震速報送受信機は、算出した予測震度および予測到達時間と、震度閾値および到達時間閾値とをそれぞれ比較し、予測震度が震度閾値以上かつ予測到達時間が到達時間閾値以上であった場合は制御信号を出力し、
前記緊急地震速報送受信機によってアトラクションの動作を制御することが必要と判断されたアトラクション制御装置は、前記制御信号を受信すると、アトラクションが走行状態であるか停止状態であるかを判断し、アトラクションが走行状態であれば、該アトラクションを乗客の避難しやすい位置または最寄りの緊急停車ゾーンまで走行させ、アトラクションが停止状態であれば、該アトラクションの走行を禁止して、地震の揺れに対して耐性を有する状態にアトラクションを動作させることを特徴とするテーマパークにおけるアトラクション制御システム。
【請求項４】
緊急地震速報に基づいて、設置されたアトラクションの動作を制御するテーマパークにおけるアトラクション制御システムであって、
緊急地震速報を受信し、受信した緊急地震速報に基づいて地震の主要動の予測到達時間と予測震度とを算出し、算出結果に基づいて各アトラクション制御装置へ制御信号を送信する緊急地震速報送受信機と、
前記緊急地震速報送受信機から制御信号を受信し、受信した制御信号に応じて、アトラクションの動作を制御するアトラクション制御装置とを有し、
前記アトラクション制御装置は、アトラクションごとに設けられ、
前記緊急地震速報送受信機は、アトラクション制御装置がアトラクションの動作を制御することの要否を、アトラクション制御装置ごとに判断して、制御が必要であると判断したアトラクション制御装置に対しては、アトラクションの動作の制御を行わせ、制御が不要であると判断したアトラクション制御装置に対しては、アトラクションの動作の制御を行わないように、各アトラクション制御装置を個別に制御し、
前記緊急地震速報送受信機から制御信号を受信し、受信した制御信号に応じて、電気およびガスの供給を制御するインフラストラクチャ制御装置をさらに含み、
前記緊急地震速報送受信機は、算出した予測震度と震度閾値とをそれぞれ比較し、予測震度が震度閾値以上であった場合は制御信号を出力し、
前記インフラストラクチャ制御装置は、前記制御信号を受信すると、複数の店舗にガスを供給するためのガス配管に設けられる電磁弁の開閉状態を取得し、開状態の電磁弁を閉状態となるように動作させてガスの供給を停止することを特徴とするテーマパークにおけるアトラクション制御システム。
【請求項５】
緊急地震速報に基づいて、設置されたアトラクションの動作を制御するテーマパークにおけるアトラクション制御システムであって、
緊急地震速報を受信し、受信した緊急地震速報に基づいて地震の主要動の予測到達時間と予測震度とを算出し、算出結果に基づいて各アトラクション制御装置へ制御信号を送信する緊急地震速報送受信機と、
前記緊急地震速報送受信機から制御信号を受信し、受信した制御信号に応じて、アトラクションの動作を制御するアトラクション制御装置とを有し、
前記アトラクション制御装置は、アトラクションごとに設けられ、
前記緊急地震速報送受信機は、アトラクション制御装置がアトラクションの動作を制御することの要否を、アトラクション制御装置ごとに判断して、制御が必要であると判断したアトラクション制御装置に対しては、アトラクションの動作の制御を行わせ、制御が不要であると判断したアトラクション制御装置に対しては、アトラクションの動作の制御を行わないように、各アトラクション制御装置を個別に制御し、
前記緊急地震速報送受信機から制御信号を受信し、受信した制御信号に応じて、テーマパークの放送設備を制御する放送設備制御装置をさらに含み、
前記緊急地震速報送受信機は、算出した予測震度と震度閾値とをそれぞれ比較し、予測震度が震度閾値以上であった場合は制御信号を出力し、
前記放送設備制御装置は、前記制御信号を受信すると、受信した制御信号に応じて、予め記憶されている複数の放送内容から選択した放送内容を、テーマパーク全体に放送を行うためのパークワイド放送設備によって、放送させることを特徴とするテーマパークにおけるアトラクション制御システム。
【請求項６】
緊急地震速報に基づいて、設置されたアトラクションの動作を制御するテーマパークにおけるアトラクション制御システムであって、
緊急地震速報を受信し、受信した緊急地震速報に基づいて地震の主要動の予測到達時間と予測震度とを算出し、算出結果に基づいて各アトラクション制御装置へ制御信号を送信する緊急地震速報送受信機と、
前記緊急地震速報送受信機から制御信号を受信し、受信した制御信号に応じて、アトラクションの動作を制御するアトラクション制御装置とを有し、
前記アトラクション制御装置は、アトラクションごとに設けられ、
前記緊急地震速報送受信機は、アトラクション制御装置がアトラクションの動作を制御することの要否を、アトラクション制御装置ごとに判断して、制御が必要であると判断したアトラクション制御装置に対しては、アトラクションの動作の制御を行わせ、制御が不要であると判断したアトラクション制御装置に対しては、アトラクションの動作の制御を行わないように、各アトラクション制御装置を個別に制御し、
前記緊急地震速報送受信機から緊急地震速報を受信し、受信した緊急地震速報に基づいて地震の予測到達時間と予測震度と含む予測情報を算出し、算出結果を出力する地震データ解析装置をさらに含み、
前記地震データ解析装置は、テーマパークの従業員が利用する端末装置とデータ通信可能に構成され、算出した予測情報を端末装置に割り込み処理によって強制的に出力させることを特徴とするテーマパークにおけるアトラクション制御システム。
【請求項７】
前記地震データ解析装置とデータ通信可能に構成され、前記地震データ解析装置が算出した予測情報に基づいて動作する回転灯警報器をさらに含むことを特徴とする請求項６記載のテーマパークにおけるアトラクション制御システム。
【発明の詳細な説明】
【技術分野】
【０００１】
本発明は、緊急地震速報に基づいて、設置されたアトラクションの動作を制御するテーマパークにおけるアトラクション制御システムに関する。
【背景技術】
【０００２】
テーマパークには、アトラクションと呼ばれる遊戯設備が広大な敷地に分散して数多く設置されている。アトラクションは、種々の遊戯施設、娯楽施設を含み、多くの乗客や観客を収容する設備である。
【０００３】
地震などの自然災害や、火事などの人的災害が発生した場合、施設に収容された乗客や観客を安全に避難させることが必要である。
【０００４】
地震は、テーマパークの敷地全域に被害を及ぼす可能性が高く、地震発生時には、特に乗客や観客の安全を確保する必要がある。
【０００５】
しかしながら従来、地震が発生した場合には、テーマパークにおけるほとんどのアトラクションでは、施設内設備のオペレータおよびその他の従業員スタッフが地震の発生を認識して遊具の非常停止操作を行ったり、乗客や観客の避難誘導を行い、安全を確保している。
【０００６】
電気およびガスなどのインフラストラクチャに関しては、地震の発生を地震計で検出し、検出結果に応じて自動的に配線部分および配管部分おいて遮断動作を行っている。
【０００７】
また、パーク内での放送設備などを介して行われる音声による地震発生の報知や警報等は地震発生後に改めて行われている。
【０００８】
テーマパークのアトラクションが対象ではないが、特許文献１，２には、緊急地震速報を受信して、地震波の予想到達時刻を算出し、エレベータかごの停止動作を行うエレベータの制御システムが開示されている。
【０００９】
【特許文献１】特開２００６−１４３３５４号公報
【特許文献２】特開２００７−１６１３７８号公報
【発明の開示】
【発明が解決しようとする課題】
【００１０】
アトラクションには、ジェットコースターのように動作状態で地震の影響を受けた場合に、脱線・衝突等の人命に関わるような重大な事故が発生する可能性があるものがある。これは地震が発生してから非常停止操作をしていたのでは間に合わないこともあり、回避が困難な問題である。
【００１１】
この点については、気象庁から発せられる緊急地震速報により、主要動が到達するまでに数秒〜数十秒の時間が確保できる可能性があり、単なる停止操作であれば間に合う可能性が高くなっている。
【００１２】
しかし、地震が発生した場合の非常停止操作は人的操作が必要となる点において、操作時間が確保されたとしても不確実さも存在する。
【００１３】
またアトラクションには、複数種類の設備が混在しており、非常時の操作において単なる停止操作だけでは、不十分な場合もある。
【００１４】
たとえば、乗客が乗った車両を非常停止操作させた場合、停止位置によっては、その後の避難が非常に困難な状況になったり、稼動可能状態に復旧する為に多くの時間と手間が必要となる場合がある。
【００１５】
また、インフラストラクチャに関しては、地震計を使用した地震発生後の遮断動作では、調理場でのガス器具による火災、ゲストや従業員の怪我を防止する効果は低い。
【００１６】
本発明の目的は、確実に安全を確保することが可能で、設備の損傷を最大限に抑えることができるテーマパークにおけるアトラクション制御システムを提供することである。
【課題を解決するための手段】
【００１７】
本発明は、緊急地震速報に基づいて、設置されたアトラクションの動作を制御するテーマパークにおけるアトラクション制御システムであって、
緊急地震速報を受信し、受信した緊急地震速報に基づいて地震の主要動の予測到達時間と予測震度とを算出し、算出結果に基づいて各アトラクション制御装置へ制御信号を送信する緊急地震速報送受信機と、
前記緊急地震速報送受信機から制御信号を受信し、受信した制御信号に応じて、アトラクションの動作を制御するアトラクション制御装置とを有し、
前記アトラクション制御装置は、アトラクションごとに設けられ、
前記緊急地震速報送受信機は、アトラクション制御装置がアトラクションの動作を制御することの要否を、アトラクション制御装置ごとに判断して、制御が必要であると判断したアトラクション制御装置に対しては、アトラクションの動作の制御を行わせ、制御が不要であると判断したアトラクション制御装置に対しては、アトラクションの動作の制御を行わないように、各アトラクション制御装置を個別に制御し、
前記緊急地震速報送受信機は、算出した予測震度および予測到達時間と、震度閾値および到達時間閾値とをそれぞれ比較し、予測震度が震度閾値以上かつ予測到達時間が到達時間閾値以上であった場合は制御信号を出力し、
前記緊急地震速報送受信機によってアトラクションの動作を制御することが必要と判断されたアトラクション制御装置は、制御対象が、乗客の乗り込むアトラクションであり、前記制御信号を受信すると、アトラクションが走行状態であるか停止状態であるかを判断し、アトラクションが走行状態であれば、該アトラクションを乗客の避難しやすい位置または最寄りの緊急停車ゾーンまで走行させ、アトラクションが停止状態であれば、該アトラクションの走行を禁止することを特徴とするテーマパークにおけるアトラクション制御システムである。
【００１８】
また本発明は、緊急地震速報に基づいて、設置されたアトラクションの動作を制御するテーマパークにおけるアトラクション制御システムであって、
緊急地震速報を受信し、受信した緊急地震速報に基づいて地震の主要動の予測到達時間と予測震度とを算出し、算出結果に基づいて各アトラクション制御装置へ制御信号を送信する緊急地震速報送受信機と、
前記緊急地震速報送受信機から制御信号を受信し、受信した制御信号に応じて、アトラクションの動作を制御するアトラクション制御装置とを有し、
前記アトラクション制御装置は、アトラクションごとに設けられ、
前記緊急地震速報送受信機は、アトラクション制御装置がアトラクションの動作を制御することの要否を、アトラクション制御装置ごとに判断して、制御が必要であると判断したアトラクション制御装置に対しては、アトラクションの動作の制御を行わせ、制御が不要であると判断したアトラクション制御装置に対しては、アトラクションの動作の制御を行わないように、各アトラクション制御装置を個別に制御し、
前記緊急地震速報送受信機は、算出した予測震度および予測到達時間と、震度閾値および到達時間閾値とをそれぞれ比較し、予測震度が震度閾値以上かつ予測到達時間が到達時間閾値未満であった場合は制御信号を出力し、
前記緊急地震速報送受信機によってアトラクションの動作を制御することが必要と判断されたアトラクション制御装置は、制御対象が、乗客の乗り込むアトラクションであり、前記制御信号を受信すると、アトラクションが走行状態であるか停止状態であるかを判断し、アトラクションが走行状態であれば、該アトラクションを乗客の避難しやすい位置または最寄りの緊急停車ゾーンまで走行させ、アトラクションが停止状態であれば、該アトラクションの走行を禁止することを特徴とするテーマパークにおけるアトラクション制御システムである。
【００１９】
また本発明は、緊急地震速報に基づいて、設置されたアトラクションの動作を制御するテーマパークにおけるアトラクション制御システムであって、
緊急地震速報を受信し、受信した緊急地震速報に基づいて地震の主要動の予測到達時間と予測震度とを算出し、算出結果に基づいて各アトラクション制御装置へ制御信号を送信する緊急地震速報送受信機と、
前記緊急地震速報送受信機から制御信号を受信し、受信した制御信号に応じて、アトラクションの動作を制御するアトラクション制御装置とを有し、
前記アトラクション制御装置は、アトラクションごとに設けられ、
前記緊急地震速報送受信機は、アトラクション制御装置がアトラクションの動作を制御することの要否を、アトラクション制御装置ごとに判断して、制御が必要であると判断したアトラクション制御装置に対しては、アトラクションの動作の制御を行わせ、制御が不要であると判断したアトラクション制御装置に対しては、アトラクションの動作の制御を行わないように、各アトラクション制御装置を個別に制御し、
前記緊急地震速報送受信機は、算出した予測震度および予測到達時間と、震度閾値および到達時間閾値とをそれぞれ比較し、予測震度が震度閾値以上かつ予測到達時間が到達時間閾値以上であった場合は制御信号を出力し、
前記緊急地震速報送受信機によってアトラクションの動作を制御することが必要と判断されたアトラクション制御装置は、前記制御信号を受信すると、地震の揺れに対して耐性を有する状態にアトラクションを動作させることを特徴とするテーマパークにおけるアトラクション制御システムである。
【００２０】
また本発明は、緊急地震速報に基づいて、設置されたアトラクションの動作を制御するテーマパークにおけるアトラクション制御システムであって、
緊急地震速報を受信し、受信した緊急地震速報に基づいて地震の主要動の予測到達時間と予測震度とを算出し、算出結果に基づいて各アトラクション制御装置へ制御信号を送信する緊急地震速報送受信機と、
前記緊急地震速報送受信機から制御信号を受信し、受信した制御信号に応じて、アトラクションの動作を制御するアトラクション制御装置とを有し、
前記アトラクション制御装置は、アトラクションごとに設けられ、
前記緊急地震速報送受信機は、アトラクション制御装置がアトラクションの動作を制御することの要否を、アトラクション制御装置ごとに判断して、制御が必要であると判断したアトラクション制御装置に対しては、アトラクションの動作の制御を行わせ、制御が不要であると判断したアトラクション制御装置に対しては、アトラクションの動作の制御を行わないように、各アトラクション制御装置を個別に制御し、
前記緊急地震速報送受信機から制御信号を受信し、受信した制御信号に応じて、電気およびガスの供給を制御するインフラストラクチャ制御装置をさらに含み、
前記緊急地震速報送受信機は、算出した予測震度と震度閾値とをそれぞれ比較し、予測震度が震度閾値以上であった場合は制御信号を出力し、
前記インフラストラクチャ制御装置は、前記制御信号を受信すると、複数の店舗にガスを供給するためのガス配管に設けられる電磁弁の開閉状態を取得し、開状態の電磁弁を閉状態となるように動作させてガスの供給を停止することを特徴とするテーマパークにおけるアトラクション制御システムである。
【００２１】
また本発明は、緊急地震速報に基づいて、設置されたアトラクションの動作を制御するテーマパークにおけるアトラクション制御システムであって、
緊急地震速報を受信し、受信した緊急地震速報に基づいて地震の主要動の予測到達時間と予測震度とを算出し、算出結果に基づいて各アトラクション制御装置へ制御信号を送信する緊急地震速報送受信機と、
前記緊急地震速報送受信機から制御信号を受信し、受信した制御信号に応じて、アトラクションの動作を制御するアトラクション制御装置とを有し、
前記アトラクション制御装置は、アトラクションごとに設けられ、
前記緊急地震速報送受信機は、アトラクション制御装置がアトラクションの動作を制御することの要否を、アトラクション制御装置ごとに判断して、制御が必要であると判断したアトラクション制御装置に対しては、アトラクションの動作の制御を行わせ、制御が不要であると判断したアトラクション制御装置に対しては、アトラクションの動作の制御を行わないように、各アトラクション制御装置を個別に制御し、
前記緊急地震速報送受信機から制御信号を受信し、受信した制御信号に応じて、テーマパークの放送設備を制御する放送設備制御装置をさらに含み、
前記緊急地震速報送受信機は、算出した予測震度と震度閾値とをそれぞれ比較し、予測震度が震度閾値以上であった場合は制御信号を出力し、
前記放送設備制御装置は、前記制御信号を受信すると、受信した制御信号に応じて、予め記憶されている複数の放送内容から選択した放送内容を、テーマパーク全体に放送を行うためのパークワイド放送設備によって、放送させることを特徴とするテーマパークにおけるアトラクション制御システムである。
【００２２】
また本発明は、緊急地震速報に基づいて、設置されたアトラクションの動作を制御するテーマパークにおけるアトラクション制御システムであって、
緊急地震速報を受信し、受信した緊急地震速報に基づいて地震の主要動の予測到達時間と予測震度とを算出し、算出結果に基づいて各アトラクション制御装置へ制御信号を送信する緊急地震速報送受信機と、
前記緊急地震速報送受信機から制御信号を受信し、受信した制御信号に応じて、アトラクションの動作を制御するアトラクション制御装置とを有し、
前記アトラクション制御装置は、アトラクションごとに設けられ、
前記緊急地震速報送受信機は、アトラクション制御装置がアトラクションの動作を制御することの要否を、アトラクション制御装置ごとに判断して、制御が必要であると判断したアトラクション制御装置に対しては、アトラクションの動作の制御を行わせ、制御が不要であると判断したアトラクション制御装置に対しては、アトラクションの動作の制御を行わないように、各アトラクション制御装置を個別に制御し、
前記緊急地震速報送受信機から緊急地震速報を受信し、受信した緊急地震速報に基づいて地震の予測到達時間と予測震度と含む予測情報を算出し、算出結果を出力する地震データ解析装置をさらに含み、
前記地震データ解析装置は、テーマパークの従業員が利用する端末装置とデータ通信可能に構成され、算出した予測情報を端末装置に割り込み処理によって強制的に出力させることを特徴とするテーマパークにおけるアトラクション制御システムである。
【００２４】
また本発明は、前記地震データ解析装置とデータ通信可能に構成され、前記地震データ解析装置が算出した予測情報に基づいて動作する回転灯警報器をさらに含むことを特徴とする。
【発明の効果】
【００２５】
本発明によれば、緊急地震速報送受信機が、緊急地震速報を受信し、受信した緊急地震速報に基づいて地震の主要動の予測到達時間と予測震度とを算出し、算出結果に基づいて各制御装置へ制御信号を送信すると、アトラクション制御装置が、前記緊急地震速報送受信機から制御信号を受信し、受信した制御信号に応じて、アトラクションの動作を制御する。
【００２６】
これにより、緊急地震速報を活用し、緊急地震速報送受信機の負荷を低減し、または各制御装置の処理の高速化して、確実に安全を確保することが可能で、設備の損傷を最大限に抑えることができる。
【００２７】
地震波の到達までに時間がある場合は、乗客の乗り込むアトラクションに対して、乗客の避難が容易な状態にアトラクションを動作させる。たとえば、予め設定された乗降場にまで走行させる。
【００２８】
停止せずに敢えて動作させることで、地震波の到達までの時間を有効に活用し、より確実に安全を確保することができる。
【００２９】
また本発明によれば、地震波の到達までに時間がない場合は、乗客の乗り込むアトラクションに対して、緊急停止させる。
【００３０】
停止状態のほうが被害が少ないので、時間がない場合は、緊急停止させることでより確実に安全を確保することができる。
【００３１】
また本発明によれば、地震波の到達までに時間がある場合は、地震の揺れに対して耐性を有する状態にアトラクションを動作させる。
これにより、設備の損傷を最大限に抑えることができる。
【００３２】
また本発明によれば、予測震度が震度閾値以上であった場合は、少なくともガスの供給を停止する。これにより、火事などの２次災害の発生を防止することができる。
【００３３】
また本発明によれば、予測震度が震度閾値以上であった場合は、一斉に地震発生に関する放送を行う。
これにより、避難誘導などが確実に行え、より確実に安全を確保することができる。
【００３４】
また本発明によれば、テーマパークの従業員が利用する端末装置とデータ通信可能な地震データ解析装置によって、地震の予測到達時間と予測震度と含む予測情報を出力する。
これにより、従業員に視覚的な警告を発することができる。
【００３５】
また本発明によれば、回転灯警報器を動作させることで、従業員に視覚的、聴覚的な警告を発することができる。
【発明を実施するための最良の形態】
【００３６】
本発明は、テーマパークにおけるアトラクションを制御するシステムであり、緊急地震速報を利用して、各種アトラクションの動作を制御することを特徴としている。
【００３７】
本発明におけるアトラクションとは、種々の遊戯施設、娯楽施設を含み、多くの乗客や観客を収容する設備である。具体的には、人を乗せた車両が固定レール上を滑走するコースターや、スクリーンに映像を映し出し、映像の内容に連動させて観客を乗せた座席を揺動させる、いわゆるライド系のアトラクション（以下では、単に「ライド」と呼ぶ場合がある）、演劇や映画上映を劇場内で行うシアター系アトラクション（以下では単に「シアター」と呼ぶ場合がある）が含まれる。
【００３８】
図１は、テーマパークにおけるアトラクション制御システムの概要を示す図である。アトラクション制御システムは、緊急地震速報送受信機、各制御対象を制御するための制御装置とを含む。
【００３９】
緊急地震速報送受信機１００は、緊急地震速報を受信し、受信した緊急地震速報に含まれる情報を解釈して地震の主要動の予測到達時間と予測震度とを算出し、その算出結果に基づいて、各制御装置へ複数種の信号を発信する。
【００４０】
アトラクション制御装置１１０は、緊急地震速報送受信機１００からの緊急信号を受信し、緊急信号に含まれる情報を判断してアトラクション施設の動作を制御する。
【００４１】
インフラストラクチャ制御装置１２０は、緊急地震速報送受信機１００からの緊急信号を受信し、緊急信号に含まれる情報を判断して電気およびガスなどのインフラストラクチャの動作を制御する。
【００４２】
パークワイド放送制御装置１３０は、緊急地震速報送受信機１００からの緊急信号を受信し、緊急信号に含まれる情報を判断して警報の放送や、避難誘導の放送など放送内容を含めた放送設備の動作を制御する。
【００４３】
地震データ解析装置１４０は、緊急地震速報送受信機１００から緊急地震速報を受信し、受信した緊急地震速報に含まれる情報を解釈して地震の主要動の予測到達時間と予測震度とを算出し、視覚・聴覚的に警告を発する。
【００４４】
地震データ解析装置１４０は、主に従業員が利用する社内ＬＡＮ（Local Area Network
）に接続されており、社内ＬＡＮには、回転灯警報器１５０、従業員用コンピュータ（ＰＣ）１６０などが接続されている。
【００４５】
緊急地震速報は気象庁の設備１から送信され、プロバイダ２を介して緊急地震速報送受信機１００が受信する。緊急地震速報には、高度利用者向け緊急地震速報と一般向け緊急地震速報とがあり、より詳細な制御を行う場合には、高度利用者向け緊急地震速報を受信することが好ましい。
【００４６】
高度利用者向け緊急地震速報には、地震の発生時刻、地震の発生場所（震源）の推定値と、地震の規模（マグニチュード）の推定値と、推定される最大震度が震度３以下のときは、推定される揺れの大きさの最大（推定最大震度）と、推定される最大震度が震度４以上のときは、地域名に加えて震度５弱以上と推定される地域の揺れの大きさ（震度）の推定値（予測震度）およびその地域への大きな揺れ（主要動）の到達時刻の推定値（主要動到達予測時刻）と、が含まれる。
【００４７】
一般向け緊急地震速報には、地震の発生時刻、発生場所（震源）の推定値、地震発生場所の震央地名と、強い揺れ（震度５弱以上）が推定される地域及び震度４が推定される地域名とが含まれる。
【００４８】
図２は、緊急地震速報送受信機１００のメインフローチャートである。ステップＡ１で緊急地震速報送受信機１００が、高度利用者向け緊急地震速報を受信すると、ステップＡ２ではテーマパークの現在地に基づいて、テーマパーク、すなわちアトラクションを含む各施設に主要動が到達する予測到達時刻と予測震度とを含む予測情報を算出する。
【００４９】
算出結果によっては、たとえば予測震度が小さく、アトラクションなどの制御対象を制御する必要がない場合があるので、ステップＡ３では、各制御装置において制御が必要かどうかを判断する。
【００５０】
制御が必要であると判断された場合は、ステップＡ４に進み、各制御装置に対して制御信号を送信する。必要がないと判断された場合は、そのまま処理を終了する。
【００５１】
ステップＡ３における判断処理について説明する。まず、判断処理は、一括判断であってもよく、個別判断であってもよい。一括判断は、高度利用者向け緊急地震速報に含まれる内容、および算出された予測情報に対して予め定める閾値を用いて閾値処理を行い、閾値を上回るような情報であった場合は、制御が必要であると判断して全ての制御装置に対して制御信号の送信を行う。また、閾値以下であった場合は、いずれの制御装置に対しても制御信号を送信しない。
【００５２】
個別判断の場合は、高度利用者向け緊急地震速報に含まれる内容、および算出された予測情報に対して、制御装置ごとに閾値を設定しておき、制御装置ごとに閾値処理を行う。閾値を上回った制御装置にのみ制御信号を送信し、閾値以下であった制御装置には制御信号を送信しない。
【００５３】
一括判断の場合は、閾値を全制御装置の最低レベルに合わせて設定し、最低レベルを越えれば、全ての制御装置に制御信号を送信するようにしておき、詳細な判断は、制御信号を受信した各制御装置が行う構成とすることが好ましい。一括判断の場合は、緊急地震速報送受信機１００の処理が単純化され、負荷を分散することができる。
【００５４】
個別判断の場合は、制御が必要な制御装置を選択して制御信号を送信するので、受信した制御装置は、必ず何らかの制御を行う。個別判断の場合は、制御装置での判断が単純化されるので、各制御装置においては処理が高速化する。
【００５５】
なお、緊急地震速報送受信機１００から各制御装置に対して、制御信号ではなく、算出した予測情報を送信し、受信した制御装置において、予測情報に基づいて制御の要否判断、および制御内容の選択を行ってもよい。この場合、送信する予測情報には、上記の高度利用者向け緊急地震速報に含まれる各種情報の一部または全部を含んでもよい。
【００５６】
以下では、各制御装置における制御内容について詳細に説明する。
図３は、アトラクション制御を説明するための図である。緊急地震速報送受信機１００から予測情報が送信されると、アトラクション制御装置１１０がこれを受信する。アトラクション制御装置１１０は、アトラクションごとに少なくとも１つ以上含まれる。
【００５７】
本実施形態では、ライド系アトラクションであるアトラクションＡとシアター系アトラクションであるアトラクションＢの２つのアトラクションについて説明する。
【００５８】
アトラクションＡでは、アトラクション制御装置１１０からさらにサブ制御装置２００が設けられる。サブ制御装置２００は、制御対象であるアトラクション駆動装置２１０ごとに設けられる。
【００５９】
アトラクションＢでは、アトラクション制御装置１１０からさらに音響制御装置２２０、照明制御装置２３０、自動ドア制御装置２４０が設けられる。音響制御装置２２０は、スピーカ２５０を制御し、照明制御装置２３０は、照明器具２６０を制御し、自動ドア制御装置２４０は自動ドア２７０を制御する。
【００６０】
緊急地震速報送受信機１００は、あらかじめ複数設定された震度閾値と到達時間閾値とを有している。算出した予測震度および予測到達時間と、震度閾値および到達時間閾値とをそれぞれ比較し、比較結果に応じて制御信号をアトラクション制御装置１１０へ送信する。例えば、予測震度が震度閾値以上かつ予測到達時間が到達時間閾値以上であった場合は第１制御信号を出力し、予測震度が震度閾値以上かつ予測到達時間が到達時間閾値未満であった場合は第２制御信号を出力する。
【００６１】
アトラクション制御装置１１０は、緊急地震速報送受信機１００から受信した制御信号の種類によって異なる制御動作を行う。
【００６２】
図４は、アトラクションの制御処理を示すフローチャートである。ステップＢ１で、アトラクション制御装置１１０が緊急地震速報送受信機１００から制御信号を受信すると、ステップＢ２で支配下にある各サブ制御装置２００へ制御信号を送信する。
【００６３】
ステップＢ３では、サブ制御装置２００が、受信した制御信号に応じてアトラクション駆動装置２１０を制御対象とする制御動作を選択し、ステップＢ４では、サブ制御装置２００が、選択した制御動作を実行してアトラクション駆動装置２１０の動作を制御する。
【００６４】
アトラクションＡについての具体的な制御動作を説明する。
まず、第１制御信号を受信した場合の制御動作を説明する。ゲストが車両などの乗り物に乗り込むようなライド系アトラクションでは、サブ制御装置２００が、アトラクション駆動装置２１０の動作状態をまず取得する。動作状態としては、走行（動作中）状態と停止状態とがある。第１制御信号を受信した場合に、動作状態を判断して制御動作を選択する。たとえば、動作状態が停止状態であれば、乗り物の発車（走行）を禁止する。
【００６５】
これは走行状態と停止状態とを比較した場合に、停止状態の方が地震の揺れに対して強いことと乗車中のゲストが避難しやすいためである。
【００６６】
また、動作状態が走行状態であれば、演出動作を緊急停止するとともに避難しやすい位置（例えば乗降場）まで走行させるか、最寄りの緊急停車ゾーンに停止させる。
【００６７】
これらの制御動作はアトラクションのタイプ、動作内容によって異なり、アトラクション制御装置１１０、またはサブ制御装置に予めプログラムされている。たとえば、ゲストが乗車しない演出用の駆動装置については、地震の揺れに対して機器の損傷を予防できる状態へと自動的に移行させる。例えば重量物を駆動している油圧シリンダが伸びた状態で地震の揺れを受けた場合にはシリンダロッドの変形が懸念されるので、自動的に縮んだ状態に移行する。
【００６８】
次に第２制御信号を受信した場合の制御動作を説明する。この場合、第１制御信号受信時と同様に、停止状態であれば乗り物の発車を自動的に禁止するものの、走行状態の場合は、乗り物を避難しやすい位置に移動するために十分な時間の余裕がないので、自動的に非常停止を行い、乗り物や演出用の駆動装置を停止状態にし、さらに地震の揺れにより動かないように動作箇所を固定するなどして地震に備える。
【００６９】
アトラクションＢについての具体的な制御動作を説明する。
テーマパークには前述したライド系アトラクションＡ以外に、演劇や映画上映等を行っているシアター系アトラクションＢも存在する。このような劇場型のアトラクションＢでは予測到達時間に関係なく緊急地震速報送受信機１００から制御信号を受信した時点で制御動作を行う。したがって、受信した制御信号が第１制御信号であるか第２制御信号であるかにかかわらず、一定の制御動作を実行する。
【００７０】
緊急地震速報送受信機１００から制御信号を受信すると、演劇・上映の停止、演出装置の無効化、特殊効果用の蒸気や液体窒素供給弁の緊急遮断、特殊効果用花火の無効化を主に実行する。
【００７１】
音響制御装置２２０は、スピーカ２５０を制御し、音楽などの出力を停止し、警報や避難誘導のための放送を出力する。照明制御装置２３０は、照明器具２６０を制御し、演出照明の消灯・非常用照明の点灯を行う。自動ドア制御装置２４０は、自動ドア２７０を制御し、観客を避難させるために自動ドアを開放する。
【００７２】
このように、緊急地震速報の情報に基づき、アトラクションごとに個別の制御動作を行うことで、確実に安全を確保することが可能となる。また、設備の損傷を最大限に抑えることができる。
【００７３】
図５は、インフラストラクチャ制御を説明するための図である。テーマパークには、レストランなどの飲食店もアトラクションとともに併設されており、主に調理、照明用に電気およびガスなどのインフラストラクチャが配設されている。
【００７４】
緊急地震速報送受信機１００から予測情報が送信されると、インフラストラクチャ制御装置１２０がこれを受信する。インフラストラクチャ制御装置１２０は、店舗ごとに少なくとも１つ以上含まれる。
【００７５】
本実施形態では、ガス供給の制御について説明するが、電力供給についても制御内容はほぼ同じである。
【００７６】
店舗Ｃでは、インフラストラクチャ制御装置１２０が、ガス配管の電磁弁３００を制御する。ガス配管は、ガス調理器具３１０へガスを供給するために配設され、供給元からガス調理器具３１０への途中に、電磁弁３００が設けられ、電磁弁３００の開閉により、ガス調理器具３１０へのガスの供給と停止を行う。
【００７７】
緊急地震速報送受信機１００は、あらかじめ複数設定された震度閾値と到達時間閾値とを有している。算出した予測震度および予測到達時間と、震度閾値および到達時間閾値とをそれぞれ比較し、比較結果に応じて制御信号をインフラストラクチャ制御装置１２０へ送信する。
【００７８】
火事などの２次災害の危険性を考慮した場合、２次災害を防止するためには、予測到達時間にかかわらず予測震度が震度閾値以上であれば、制御信号を出力することが好ましい。
【００７９】
インフラストラクチャ制御装置１２０は、緊急地震速報送受信機１００から制御信号を受信すると、予め定められる制御動作を行う。
【００８０】
図６は、インフラストラクチャの制御処理を示すフローチャートである。ステップＣ１で、インフラストラクチャ制御装置１２０が緊急地震速報送受信機１００から制御信号を受信すると、ステップＣ２で支配下にある電磁弁３００の開閉状態を取得する。
【００８１】
ステップＣ３では、インフラストラクチャ制御装置１２０が、取得した開閉状態に応じて電磁弁３００の制御動作を選択し、ステップＣ４では、インフラストラクチャ制御装置１２０が、選択した制御動作を実行して電磁弁３００の動作を制御する。
【００８２】
具体的には、電磁弁３００が閉状態であればその電磁弁３００についてはガス供給が遮断されているので、動作させる必要がない。電磁弁３００が開状態であればその電磁弁３００についてはガス供給が行われているので、電磁弁３００が閉状態となるように動作させる。
【００８３】
これにより、電気、ガスなどの供給を遮断して火事など地震の２次災害の発生を防止することができる。
【００８４】
図７は、パークワイド放送設備の制御を説明するための図である。テーマパークには、広大な敷地全体に放送が行き渡るように、パーク全体に放送設備が設置されている。これらは、アトラクションごとに設けられる個別の放送設備と異なり、集中制御が可能で、同一内容の放送を同時にパーク全体に行うことができる。個別の放送設備の場合は、動作状態がばらついているために、緊急放送などをパーク全体に行うことができない場合があるので、地震発生時などには、集中制御が可能なパークワイド放送設備を制御する。なお、スピーカなどの端末での装置自体は、個別放送設備のものと兼用していてもよいが、パークワイド放送設備による一斉放送などは、必要に応じて割り込み可能に構成されている必要がある。
【００８５】
本実施形態では、パークワイド放送設備は、ゲスト用放送設備４００と従業員用放送設備４１０を含む。
【００８６】
パークワイド放送制御装置１３０が、ゲスト用放送設備４００と従業員用放送設備４１０とを制御する。
【００８７】
ゲスト用放送設備４００と従業員用放送設備４１０とから出力される放送内容は、同一であってもよいし、異なっていてもよい。また、開園中の時間帯は、ゲスト用放送設備４００と従業員用放送設備４１０のいずれも放送を行うが、閉園中の時間帯は、従業員用放送設備４１０のみ放送を行うように構成される。
【００８８】
緊急地震速報送受信機１００は、あらかじめ複数設定された震度閾値と到達時間閾値とを有している。算出した予測震度および予測到達時間と、震度閾値および到達時間閾値とをそれぞれ比較し、比較結果に応じて制御信号をパークワイド放送制御装置１３０へ送信する。
【００８９】
パークワイド放送制御装置１３０は、緊急地震速報送受信機１００から制御信号を受信すると、予め定められる制御動作を行う。
【００９０】
図８は、パークワイド放送設備の制御処理を示すフローチャートである。ステップＤ１で、パークワイド放送制御装置１３０が緊急地震速報送受信機１００から制御信号を受信すると、ステップＤ２で現在時刻を取得する。
【００９１】
ステップＤ３では、パークワイド放送制御装置１３０が、取得した現在時刻と、受信した制御信号に応じて、放送内容を選択する。ステップＤ４では、パークワイド放送制御装置１３０が、選択した内容で放送を実行する。
【００９２】
具体的には、現在時刻が開園中の時間帯に含まれる場合は、ゲスト用放送設備４００および従業員用放送設備４１０を出力対象とし、制御信号に応じて警報、避難誘導など予め記憶されている複数の放送内容から選択し、ゲスト用放送設備４００および従業員用放送設備４１０から放送を実行する。
【００９３】
現在時刻が閉園中の時間帯に含まれる場合は、従業員用放送設備４１０のみを出力対象とし、制御信号に応じて警報、避難誘導など予め記憶されている複数の放送内容から選択し、従業員用放送設備４１０から放送を実行する。
【００９４】
これにより、地震発生前にパーク全体に対して、適切な放送内容で放送を行うことができるので、確実に安全を確保することが可能となる。
【００９５】
図９は、社内ネットワークの制御を説明するための図である。テーマパークには、従業員の業務用にコンピュータ端末などが設置されるオフィス区域がある。この区域では、社内ＬＡＮなどにより各従業員用端末はデータ通信可能に構成されている。
【００９６】
緊急地震速報送受信機１００と接続される地震データ解析装置１４０は、ハブ／ルータ５００に接続されて社内ＬＡＮ上の従業員用端末１６０と接続される。さらに回転灯警報器１５０も接続される。
【００９７】
図１０は、社内ネットワークの制御処理を示すフローチャートである。緊急地震速報送受信機１００は、緊急地震速報を受信すると、地震データ解析装置１４０に緊急地震速報を転送する。
【００９８】
地震データ解析装置１４は、ステップＥ１で緊急地震速報を受信し、ステップＥ２で受信した緊急地震速報に基づいて地震の予測到達時間と予測震度と含む予測情報を算出する。ステップＥ３では、算出結果をディスプレイに表示する。このとき、ネットワークに接続されている従業員用端末１６０の処理に対して割り込み処理を行い、強制的に予測情報を表示させてもよい。またステップＥ４で、ネットワークに接続されている回転灯警報器１５０を動作させて視覚的、聴覚的警告を発する。
【図面の簡単な説明】
【００９９】
【図１】テーマパークにおけるアトラクション制御システムの概要を示す図である。
【図２】緊急地震速報送受信機１００のメインフローチャートである。
【図３】アトラクション制御を説明するための図である。
【図４】アトラクションの制御処理を示すフローチャートである。
【図５】インフラストラクチャ制御を説明するための図である。
【図６】インフラストラクチャの制御処理を示すフローチャートである。
【図７】パークワイド放送設備の制御を説明するための図である。
【図８】パークワイド放送設備の制御処理を示すフローチャートである。
【図９】社内ネットワークの制御を説明するための図である。
【図１０】社内ネットワークの制御処理を示すフローチャートである。
【符号の説明】
【０１００】
１００  緊急地震速報送受信機
１１０  アトラクション制御装置
１２０  インフラストラクチャ制御装置
１３０  パークワイド放送制御装置
１４０  地震データ解析装置
【図１】
0005599554.tif 000002
【図２】
0005599554.tif 000003
【図３】
0005599554.tif 000004
【図４】
0005599554.tif 000005
【図５】
0005599554.tif 000006
【図６】
0005599554.tif 000007
【図７】
0005599554.tif 000008
【図８】
0005599554.tif 000009
【図９】
0005599554.tif 000010
【図１０】
0005599554.tif 000011